(57)【要約】      （修正有）【課題】スライド扉の連動機構に気づかれず、出入口のスライド扉が確実に作動して捕獲することができる小動物用捕獲装置を提供する。【解決手段】一端を開口したケース本体２と、ケース本体の開口部２ａに連設したスライド扉４用の扉支持枠３と、扉支持枠に昇降自在に吊り下げるスライド扉と、扉作動機構５とよりなり、扉作動機構はスライド扉に連結した第１ワイヤ６と、ケース本体に連結した第２ワイヤ７と、第１ワイヤと第２ワイヤとを解除自在に連結する略水平状態の連結ピン８と、一端に小動物の餌を取り付け他端に連結ピンと第２ワイヤとを合体して囲繞する作動リング１０を設けた連結解除のための作動ワイヤ９とから構成した。【選択図】図１
2018078817.tif 000002
【特許請求の範囲】
【請求項１】
一端を開口したケース本体と、ケース本体の開口部に連設したスライド扉用の扉支持枠と、扉支持枠に昇降自在に吊り下げるスライド扉と、扉作動機構とよりなり、扉作動機構は、スライド扉に連結した第１ワイヤと、ケース本体に連結した第２ワイヤと、第１ワイヤと第２ワイヤとを解除自在に連結する略水平状態の連結ピンと、一端に小動物の餌を取り付け他端に連結ピンと第２ワイヤとを合体して囲繞する作動リングを設けた連結解除のための作動ワイヤとからなり、
しかも、扉作動機構は、作動ワイヤを介した先端の作動リングの変位作動をトリガーとして、連結ピンと第２ワイヤとの合体が解除され、連結ピンが少なくとも第２ワイヤとの連結を解除され連結ピンがフリー状態となって第１ワイヤに連結しているスライド扉を扉支持枠に沿って降下するように構成したことを特徴とする小動物用捕獲装置。
【請求項２】
扉支持枠には、スライド扉をロックする扉ロックプレートを設けた
ことを特徴とする請求項１に記載の小動物用捕獲装置。
【発明の詳細な説明】
【技術分野】
【０００１】
この発明は、小動物用捕獲装置に関するものである。
【背景技術】
【０００２】
従来、小動物の捕獲装置としては、檻の中に小動物が入ると檻の出入口扉が自動的に閉塞して小動物を捕獲できるように構成したものがある。
例えば、特許文献１には、檻の入り口を閉塞するスライド扉とスライド扉を降下する扉作動機構を備え、檻に小動物が侵入すると扉作動機構の回転ドアが作動することにより、スライド扉が降下して小動物を檻内に閉じ込めて捕獲する捕獲装置が開示されている。
【先行技術文献】
【特許文献】
【０００３】
【特許文献１】特開２００７−４９９０４号公報
【発明の概要】
【発明が解決しようとする課題】
【０００４】
ところが、上述した捕獲装置では小動物が檻内部に設けた扉作動機構の回転ドアに接触し、これらと連動連結したスライド扉が自動的に作動して檻の入り口を閉塞して、小動物を檻に閉じ込める機構であることから、警戒心の強い小動物の場合には作動機能の回転ドアに接触しないように動き、回転ドアが作動しないために、結局、スライド扉も作動せず小動物を捕獲できない欠点があった。
【０００５】
上述した点に鑑みてこの発明では、小動物がスライド扉の連動機構に気づかないようなワイヤ主体の捕獲機構としてケース本体内に侵入し餌に喰いつけばワイヤ主体の連動機構を介して出入口のスライド扉が確実に作動して小動物を捕獲することができる小動物用捕獲装置を提供するものである。
【課題を解決するための手段】
【０００６】
この発明は、一端を開口したケース本体と、ケース本体の開口部に連設したスライド扉用の扉支持枠と、扉支持枠に昇降自在に吊り下げるスライド扉と、扉作動機構とよりなり、扉作動機構はスライド扉に連結した第１ワイヤと、ケース本体に連結した第２ワイヤと、第１ワイヤと第２ワイヤとを解除自在に連結する略水平状態の連結ピンと、一端に小動物の餌を取り付け他端に連結ピンと第２ワイヤとを合体して囲繞する作動リングを設けた連結解除のための作動ワイヤとからなり、しかも、扉作動機構は、作動ワイヤを介した先端の作動リングの変位作動をトリガーとして、連結ピンと第２ワイヤとの合体が解除され、連結ピンが少なくとも第２ワイヤとの連結を解除され連結ピンがフリー状態となって第１ワイヤに連結しているスライド扉を扉支持枠に沿って降下するように構成したことを特徴とする小動物用捕獲装置。
【０００７】
また、扉支持枠には、スライド扉をロックする扉ロックプレートを設けたことにも特徴を有する。
【発明の効果】
【０００８】
請求項１の発明によれば、一端を開口したケース本体と、ケース本体の開口部に連設したスライド扉用の扉支持枠と、扉支持枠に昇降自在に吊り下げるスライド扉と、扉作動機構とよりなり、扉作動機構はスライド扉に連結した第１ワイヤと、ケース本体に連結した第２ワイヤと、第１ワイヤと第２ワイヤとを解除自在に連結する略水平状態の連結ピンと、一端に小動物の餌を取り付け他端に連結ピンと第２ワイヤとを合体して囲繞する作動リングを設けた連結解除のための作動ワイヤとからなり、しかも、扉作動機構は、作動ワイヤを介した先端の作動リングの変位作動をトリガーとして、連結ピンと第２ワイヤとの合体が解除され、連結ピンが少なくとも第２ワイヤとの連結を解除され連結ピンがフリー状態となって第１ワイヤに連結しているスライド扉を扉支持枠に沿って降下するように構成したので、小動物がケース本体内に侵入したのち小動物が餌を引っ張ることを一定のトリガーとして作動ワイヤに伝わり、連結ピンを介して連結された第１ワイヤと第２ワイヤとの連結が僅かな引っ張り力で簡単に解除されて、第１ワイヤに連結しているスライド扉が扉支持枠に沿って降下して閉扉状態となり、ケース本体内に確実に小動物を捕獲することができ、更には扉作動機構の主体が第１、第２ワイヤと連結ピンと作動リングという簡単な構造で構成され、ケース本体外に設置することができるので、小動物に感知されにくく捕獲効率を向上することができる。
【０００９】
請求項２の発明によれば、スライド扉をロックする扉ロックプレートを設けたので、スライド扉が扉ロックプレートでロックされるとケース本体内に捕獲した小動物が不用意にスライド扉を開けて逃げ出すことがなくなりより捕獲率を向上することができる効果がある。
【図面の簡単な説明】
【００１０】
【図１】本発明の小動物用捕獲装置の設置状態１を示す斜視図。
【図２】本発明の小動物用捕獲装置の設置状態２を示す斜視図。
【図３】本発明の小動物用捕獲装置を示す斜視図。
【図４】本発明の小動物用捕獲装置を示す側断面図。
【図５】扉作動機構の連結解除手順１を示す斜視図。
【図６】扉作動機構の連結解除手順２を示す斜視図。
【図７】扉作動機構の連結解除手順３を示す斜視図。
【図８】扉作動機構の連結解除手順４を示す斜視図。
【図９】扉作動機構の連結解除手順５を示す斜視図。
【図１０】扉作動機構の連結解除手順６を示す斜視図。
【図１１】扉作動機構の連結解除手順７を示す斜視図。
【図１２】扉作動機構の連結解除手順８を示す斜視図。
【図１３】他の扉作動機構を示す斜視図。
【発明を実施するための最良の形態】
【００１１】
この発明は、一端を開口したケース本体と、ケース本体の開口部に連設したスライド扉用の扉支持枠と、扉支持枠に昇降自在に吊り下げるスライド扉と、扉作動機構とよりなり、扉作動機構はスライド扉に連結した第１ワイヤと、ケース本体に連結した第２ワイヤと、第１ワイヤと第２ワイヤとを解除自在に連結する略水平状態の連結ピンと、一端に小動物の餌を取り付け他端に連結ピンと第２ワイヤとを合体して囲繞する作動リングを設けた連結解除のための作動ワイヤとからなり、しかも、扉作動機構は、作動ワイヤを介した先端の作動リングの変位作動をトリガーとして、連結ピンと第２ワイヤとの合体が解除され、連結ピンが少なくとも第２ワイヤとの連結を解除され連結ピンがフリー状態となって第１ワイヤに連結しているスライド扉を扉支持枠に沿って降下するように構成した。
【００１２】
また、扉支持枠には、スライド扉をロックする扉ロックプレートを設けたことを特徴とする。
【００１３】
以下この発明の実施を図面に基づき詳細に説明する。
図１は本発明の小動物用捕獲装置の設置状態１を示す斜視図、図２は本発明の小動物用捕獲装置の設置状態２を示す斜視図、図３は本発明の小動物用捕獲装置を示す斜視図、図４は本発明の小動物用捕獲装置を示す側断面図である。
【００１４】
図１から図４に示すように、小動物用捕獲装置Ｋは、小動物Ｙを捕獲する筒状のケース本体２とケース本体２の開口部２ａに連設したスライド扉用の扉支持枠３と、扉支持枠３に昇降自在に吊り下げる矩形状のスライド扉４と、扉作動機構５とよりなり、扉作動機構５は、スライド扉４に連結した第１ワイヤ６と、ケース本体２に連結した第２ワイヤ７と、第１ワイヤ６と第２ワイヤ７とを解除自在に連結する略水平状態の連結ピン８と、一端に小動物Ｙの餌Ｆを取り付け他端に連結ピン８と第２ワイヤ７とを合体して囲繞する作動リング１０を設けた連結解除のための作動ワイヤ９を備えている。
【００１５】
ケース本体２の形状は、小動物捕獲用の室を構成した細長部屋構造としており、その周壁上部２ｂには捕獲した小動物Ｙを止め刺しするための刺し孔２０を穿設している。また、同ケース本体２の底部２ｃには、作動ワイヤ９を挿通する挿通孔２１を穿設している。
なお、ケース本体２の形状は特に限定するものではなく角型中空構造等の他の形状であってもよい。
【００１６】
扉支持枠３は、断面Ｌ字形状のフレームを矩形状に構成しており、その左右フレーム体３ａ，３ｂに沿ってスライド扉４を昇降自在に吊り下げ可能な構造としている。左フレーム体３ａ内側の中途部３ａ１には、先端三角形状とした扉ロックプレート１１が枢支されている。
図中の符号３ｃは扉支持枠３の上フレーム体であり、３ｄは扉支持枠３の下フレーム体である。
【００１７】
スライド扉４の開扉状態において扉ロックプレート１１は、その先端がスライド扉４の背部４ｂに当接状態をなすようにスプリング１１ａにより付勢されている。
【００１８】
また、スライド扉４の閉扉状態において扉ロックプレート１１は、付勢力が開放されて左フレーム体３ａの前部に穿設した係合孔３ａ２に扉ロックプレート１１の先端が係合することにより、スライド扉４の上端部４ｃに当接してスライド扉４の再開放を規制するように構成している。
なお、図中の符号４ａはスライド扉の前部であり、４ｄはスライド扉の下端部である。
【００１９】
扉作動機構５は、第１ワイヤ６と第２ワイヤ７と連結ピン８と作動ワイヤ９と作動リング１０とからなり、しかも、扉作動機構５は、作動ワイヤ９を介した先端の作動リング１０の変位作動をトリガーとして連結ピン８と第２ワイヤ７との合体が解除され、連結ピン８が少なくとも第２ワイヤ７との連結を解除され連結ピン８がフリー状態となって第１ワイヤ６に連結しているスライド扉４を扉支持枠３に沿って降下するように構成している。
【００２０】
折り返してリング状とした第２ワイヤ７は、ケース本体２の底部２ｃに配設した固定リング１２に挿通することにより連結されている。
【００２１】
作動ワイヤ９は略く字状に構成しており、一端にフック９ａを設けつつ他端にはケース本体２内において小動物を誘き寄せる餌Ｆを巻き付け自在の構造としている。また、作動ワイヤ９は、ケース本体２の底部２ｃに穿設した挿通孔２１を介してケース本体２外に引き出す構成としている。
【００２２】
次に扉作動機構５の具体的な連結構造について詳説する。
図５から図７に示すように、第１ワイヤ６の端部に設けた第１リング６ｂとリング状の第２ワイヤ７とに棒状の連結ピン８を挿通する。連結ピン８を介在して第１ワイヤ６と第２ワイヤ７とは互いに引っ張られた状態となり、すなわち、連結ピン８を境にして後方側の第１ワイヤ６の第１リング６ｂにより斜め上方に引っ張られ、前方側の第２ワイヤ７により斜め下方に引っ張られた状態となる。
【００２３】
図８に示すように、第２ワイヤ７に挿通した作動リング１０に連結ピン８を挿通し、さらに、作動ワイヤ９の端部に設けたフック９ａを作動リング１０に係合することにより、第１ワイヤ６の端部６ａに連結したスライド扉４を上昇させたままの状態で保持することができる。特に連結ピン８に挿通した作動リング１０は先に挿通した第１ワイヤ６の第１リング６ｂより連結ピン８の先端付近に位置するようにセットしている。
【００２４】
かかる連結状態においては、仮想斜め直線Ｌ上に作動ワイヤ９、作動リング１０、第１ワイヤ６、連結ピン８、第２ワイヤ７が並んだ状態で一定のトリガーが印加されるまで保持されている。仮想斜め直線Ｌと水平方向Ｈとによりなす傾斜角度θは、約３０度である（図４参照）。
【００２５】
さらに、図３及び図４に示すように、第１ワイヤ６の中途部６ｃには、テンションを調整する調整ワイヤ１３を架設しており、この調整ワイヤ１３により第１ワイヤ６を若干下方に引っ張ることにより、最適な傾斜角度に調整することができる。調整ワイヤ１３の一端は扉支持枠３の左右フレーム体３ａ，３ｂ間の上下方向の中央に配設した横支持体３ｅに固定されている。
【００２６】
扉作動機構５が作動する一定のトリガーとは、小動物Ｙが作動ワイヤ９の餌を引っ張ることで、それに連動して作動ワイヤ９のフック９ａが作動リング１０を連結ピン８から抜去することにより、その後、連結ピン８を介して連結した第１ワイヤ６と第２ワイヤ７との連結を解除するような作動状態を指すものである。
【００２７】
以下において扉作動機構５をセットし、トリガーにより解除される動作について説明する。
【００２８】
図１，図３及び図８に示すように扉作動機構５は、第１ワイヤ６の端部に設けた第１リング６ｂとリング状の第２ワイヤ７とに棒状の連結ピン８を挿通し、次いで作動リング１０に連結ピン８を挿通し、さらに、作動ワイヤ９の端部に設けたフック９ａを作動リング１０に係合するように構成する。
【００２９】
まず、図６に示すように連結ピン８は第１ワイヤ６先端の第１リング６ｂ中に略水平に近い状態で挿貫される。
【００３０】
次いで、図７に示すように第２ワイヤ７の先端は折り返して環状部７ａを形成し、この環状部７ａ中に略水平状態で連結ピン８を挿貫する。この際に、特に環状部７ａの位置は少なくとも連結ピン８と係合した第１リング６ｂの係合位置よりも上方に位置するように配置する。
【００３１】
そして、第１ワイヤ６の第１リング６ｂ中に連結ピン８が挿貫された状態で第１リング６ｂ先端部は連結ピン８の上側周面に当接係合する。同時に第２ワイヤ７の環状部７ａ中に連結ピン８が挿貫された状態で環状部７ａの先端部は連結ピン８の下側周面に当接係合する。
【００３２】
かかる状態で第１ワイヤ６と第２ワイヤ７とが引っ張られた状態では第１リング６ｂの先端部と第２ワイヤ７の環状部７ａの先端部とは図８に示すように連結ピン８の周面上下側において連結ピン８を略水平状態に前後で引っ張り合う形で係合している。
【００３３】
そして、作動リング１０により連結ピン８と第２ワイヤ７とを合体させて作動リング１０中に連結ピン８を挿貫する。
しかも、作動リング１０の一端は作動ワイヤ９の端部に形成したフック９ａと係合しており、従って、作動ワイヤ９の先端に連結した餌Ｆが小動物Ｙに喰われて引っ張られると、作動ワイヤ９は作動リング１０を連結ピン８の前端方向に引っ張る。そのまま作動リング１０を合体状態の第２ワイヤ７と連結ピン８とに沿って前方に摺動し、最終的には連結ピン８の前端から抜け落ち、連結ピン８は第２ワイヤ７との合体状態を脱して前端フリー状態となる。
【００３４】
連結ピン８の前端がフリー状態となると図１０に示すように連結ピン８は基部を第１ワイヤ６の第１リング６ｂで保持されながら略水平に近い状態から略垂直状態へと変位する。
【００３５】
すなわち、連結ピン８は、第１ワイヤ６と第２ワイヤ７とにより前後方向から引っ張られて略垂直状態を保持しており、次いで更に餌Ｆに引っ張られて第２ワイヤ７が連結ピン８を前方に引っ張ると連結ピン８の周側面において環状部７ａが第１ワイヤ６の第１リング６ｂより上方に位置しているために、図１１に示すように連結ピン８は略垂直状態から反転して当初の略水平状態における前後位置が逆転して、当然に連結ピン８は第１ワイヤ６の第１リング６ｂと第２ワイヤ７の環状部７ａから離脱して、図１２に示すように全体フリー状態となり下方に落下し、扉作動機構５における第１ワイヤ６と第２ワイヤ７との連結関係が解消し、切断されることになる。スライド扉４は、第１ワイヤ６の規制がなくなり閉扉作動を発動することとなる。
【００３６】
なお、他の実施例として第１ワイヤ６の先端は、連結ピン８に連設固定しておくこともできる（図１３参照）。この場合は第２ワイヤ７が連結ピン８との合体を解かれて第１ワイヤ６との連設部分よりも前方位置で連結ピン８を前方に引っ張りながら環状部７ａを連結ピン８の先端から抜くことになり、この状態では連結ピン８は第２ワイヤ７との連結を解除されて第１ワイヤ６と共に一体となって閉扉方向に変位することになる。
【００３７】
図２に示すように、降下したスライド扉４は、ケース本体２の開口部２ａを閉塞すると同時に、扉支持枠３の扉ロックプレート１１は付勢力が開放されて左フレーム体３ａの前部に穿設した係合孔３ａ２に扉ロックプレート１１の先端が係合することにより、その扉ロックプレート１１の先端がスライド扉４の上端部４ｃに当接して、スライド扉４の開放を規制する。
【００３８】
この発明の実施例は上記のように構成されており、次のように用いられる、かつ機能する。
【００３９】
（１）まず、小動物を捕獲する場所に赴き、本発明の小動物用捕獲装置Ｋを地面上に載置固定する（図２参照）。
ケース本体２内において、小動物を誘き寄せる餌Ｆに作動ワイヤ９の端部を巻き付けおき、さらに作動ワイヤ９の他端をケース本体２の底部２ｃに穿設した挿通孔２１からケース本体２の外に引き出しておく。
【００４０】
（２）ケース本体２の開口部２ａが開扉状態となるまでスライド扉４に連結した第１ワイヤ６を引っ張り、この状態のまま扉作動機構５の連結を行う。
連結ピン８には、第１ワイヤ６の端部に設けた第１リング６ｂとリング状の第２ワイヤ７が順に挿貫される（図５から図７参照）。
【００４１】
次に、連結ピン８には作動リング１０が挿貫されると共に作動リング１０に作動ワイヤ９の端部に設けたフック９ａを係合することにより、第１ワイヤ６に連結したスライド扉４を上昇させたままの状態で保持することができる（図１、図３、図４、図８参照）。
【００４２】
ここで、第１ワイヤ６に架設した調整ワイヤ１３の長さを調整して第１ワイヤ６のテンションを調整するようにしている。
スライド扉４の背部４ｂの下方位置において、扉ロックプレート１１を当接させることで、かかる状態で小動物用捕獲装置Ｋの設置準備が完了する。
【００４３】
（３）ケース本体２内に小動物が侵入し、餌Ｆを短い距離のみ引っ張ることにより一定のトリガーが発生し、餌Ｆに巻き付けた作動ワイヤ９がケース本体２内に短い距離のみ引き込まれる方向に変位することで、作動ワイヤ９のフック９ａと係合した作動リング１０が連結ピン８から相対的に短い距離のみで引き離される（図９参照）。
【００４４】
次いで、連結ピン８を介して連結した第１ワイヤ６と第２ワイヤ７との互いの張力バランスが壊れて連結ピン８が回転して飛散することでワイヤ同士の連結が解除され、第１ワイヤ６の端部に連結したスライド扉４が扉支持枠３の上部から下部に向かって降下する（図１０から図１２参照）。
【００４５】
降下したスライド扉４は、ケース本体２の開口部２ａを閉塞すると同時に、扉支持枠３の扉ロックプレート１１は付勢力が開放されて左フレーム体３ａの前部に穿設した係合孔３ａ２に扉ロックプレート１１の先端が係合することにより、扉ロックプレート１１の先端がスライド扉４の上端部４ｃに当接して、スライド扉４の再開放を規制する。小動物はケース本体２内に閉じ込められるので確実に捕獲することができる（図２参照）。
【００４６】
（４）小動物用捕獲装置Ｋの使用者が小動物の捕獲状況を確認したのち、小動物を止め刺しする際にケース本体２の上部に穿設した刺し孔２０より先端が尖がった止め刺し具（図示しない）を挿入して小動物を止め刺しすることにより安全で確実な捕獲作業が完了する。
【００４７】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００４８】
Ｋ  小動物用捕獲装置
Ｙ  小動物
Ｆ  餌
２  ケース本体
２ａ  開口部
２ｂ  周壁上部
２ｃ  底部
３  扉支持枠
３ａ、３ｂ  左右フレーム体
３ｃ  上フレーム体
３ｄ  下フレーム体
３ｅ  横支持体
３ａ１  中途部
３ａ２  係合孔
４  スライド扉
４ａ  前部
４ｂ  背部
４ｃ  上端部
４ｄ  下端部
５  扉作動機構
６    第１ワイヤ
６ｂ  第１リング
７    第２ワイヤ
７ａ  環状部
８    連結ピン
９    作動ワイヤ
９ａ    フック
１０  作動リング
１１  扉ロックプレート
１１ａ  スプリング
１２  固定リング
１３    調整ワイヤ
２０  刺し孔
２１  挿通孔
【図１】
2018078817.tif 000003
【図２】
2018078817.tif 000004
【図３】
2018078817.tif 000005
【図４】
2018078817.tif 000006
【図５】
2018078817.tif 000007
【図６】
2018078817.tif 000008
【図７】
2018078817.tif 000009
【図８】
2018078817.tif 000010
【図９】
2018078817.tif 000011
【図１０】
2018078817.tif 000012
【図１１】
2018078817.tif 000013
【図１２】
2018078817.tif 000014
【図１３】
2018078817.tif 000015